(57)【要約】【課題】本発明は、主基板ケースの蓋体が不正に開けられることを防止するとともに、主基板ケースが主基板ベースから不正に取り外されることを防止し、更に、主基板ケースの取替え作業を非常に容易にすることを課題とする。【解決手段】主基板ケース１Ａの蓋体２Ａの一端にかしめ金具貫通孔５Ａを有するかしめ金具貫通筒４Ａを独立して横列し、主基板ケース１Ａの内部に主基板１０Ａを収納し、主基板ケース１Ａの他端の耳部６Ａ相互をビス固定して主基板ケース１Ａを構成し、かしめ孔２２Ａを有するかしめ筒部２１Ａが独立して横列されている主基板ベース２０Ａ上に該主基板ケース１Ａを載置し、該主基板ケース１Ａの蓋体２Ａのかしめ金具貫通孔５Ａからかしめ金具２５Ａを該主基板ベース２０Ａのかしめ孔２２Ａに到達させて、主基板ケース１Ａと主基板ベース２０Ａとをかしめた主基板ケース１Ａの取付け構造を提供する。【選択図】    図３
2005342193.tif 000002
【特許請求の範囲】
【請求項１】
主基板ケースの蓋体の一端に複数個のかしめ金具貫通筒をそれぞれ独立して横列して、該かしめ金具貫通筒にかしめ金具貫通孔をそれぞれ設け、該主基板ケースの蓋体の他端には耳部を突設し、一方、主基板ケースの底体の他端に耳部を突設し、主基板ケースの蓋体と底体とを重ねてその内部に主基板を収納し、主基板ケースの蓋体と底体の他端の耳部相互をビス固定して主基板ケースを構成し、
主基板ベースの一端に複数個のかしめ筒部をそれぞれ独立して横列して、該かしめ筒部にかしめ孔をそれぞれ設け、該主基板ベース上に該主基板ケースを載置し、該主基板ケースの蓋体の一端のかしめ金具貫通筒のかしめ金具貫通孔からかしめ金具を該主基板ベースの一端のかしめ筒部のかしめ孔に到達させて、主基板ケースと主基板ベースとをかしめたことを特徴とする主基板ケースの取付け構造。
【請求項２】
該主基板ケースの蓋体のかしめ金具貫通孔の内周面には係止段部が設けられており、該かしめ金具の上には、該係止段部に係合する係止部を外周面に有する係止キャップがそれぞれ取り付けられている請求項１に記載の主基板ケースの取付け構造。
【発明の詳細な説明】
【技術分野】
【０００１】
本発明は、不正行為を防止できる遊技機用の主基板ケースの取付け構造に関する。
【背景技術】
【０００２】
従来、不正行為を防止するための遊技機の基板ケース（主基板ケース）の封印装置として、基板ケースのカバー（蓋体）のねじ保持部に仮止めしたねじを、基板ケースのベース（底体）のねじ受け部に螺着することによって、該基板ケースのベースとカバーとをかしめる遊技機用の制御基板ケースの封印装置が提供されている（特許文献１参照）。
【０００３】
【特許文献１】特開２００４−４９４２８号公報（第５−９頁、第３図）
【発明の開示】
【発明が解決しようとする課題】
【０００４】
上記従来の構成では、該基板ケースのベースとカバーとをかしめることができるので、該基板ケースのカバーが不正に開けられることは防止できるものの、遊技機の筐体のホルダ（主基板ベース）から該基板ケースを取り外した場合に何ら痕跡が残らないため、該基板ケースを筐体のホルダから取り外す不正行為を防止することができないという問題があった。
【０００５】
そこで、図１１に示すように、主基板ケース１Ｒに複数個のかしめ金具貫通筒４Ｒを横列して設け、該かしめ金具貫通筒４Ｒにかしめ金具貫通孔５Ｒをそれぞれ設けるとともに、主基板ベース２０Ｒにかしめ部２１Ｒを一体的に設け、該かしめ部２１Ｒに複数個のかしめ孔２２Ｒを横列して、該主基板ケース１Ｒのかしめ金具貫通孔５Ｒからかしめ金具２５Ｒを該主基板ベース２０Ｒのかしめ孔２２Ｒに到達させて、該主基板ケース１Ｒと該主基板ベース２０Ｒとをかしめることも考えられる。
しかし、この場合には、不正行為の有無をチェックするために主基板ケース１Ｒを主基板ベース２０Ｒから取り外す際に、最初にかしめられているかしめ金具貫通筒４Ｒ（例えば両端のかしめ金具貫通筒４Ｒ）を主基板ケース１Ｒから切除することとなるが、該主基板ベース２０Ｒのかしめ部２１Ｒ（例えばかしめ部２１Ｒの両端のかしめ孔２２Ｒには切断されたかしめ金具貫通筒４Ｒが残されることとなる。したがって、チェックの完了後の主基板ベース２０Ｒに新しい主基板ケース１Ｒを取り付ける場合には、該残されたかしめ金具貫通筒４Ｒが干渉するのを避けるため、該新しい主基板ケース１Ｒのかしめ金具貫通筒４Ｒ（例えば両端のかしめ金具貫通筒４Ｒ）を予め切除しなければならず、主基板ケース１Ｒの取替え作業に多大な手間と労力が必要になるという問題があった。
【課題を解決するための手段】
【０００６】
本発明は上記従来の課題を解決するための手段として、主基板ケース１Ａ，１Ｂ，１Ｃの蓋体２Ａ，２Ｂ，２Ｃの一端に複数個のかしめ金具貫通筒４Ａ，４Ｂ，４Ｃをそれぞれ独立して横列して、該かしめ金具貫通筒４Ａ，４Ｂ，４Ｃにかしめ金具貫通孔５Ａ，５Ｂ，５Ｃをそれぞれ設け、該主基板ケース１Ａ，１Ｂ，１Ｃの蓋体２Ａ，２Ｂ，２Ｃの他端には耳部６Ａを突設し、一方、主基板ケース１Ａ，１Ｂ，１Ｃの底体３Ａ，３Ｂ，３Ｃの他端に耳部１４Ａを突設し、主基板ケース１Ａ，１Ｂ，１Ｃの蓋体２Ａ，２Ｂ，２Ｃと底体３Ａ，３Ｂ，３Ｃとを重ねてその内部に主基板１０Ａ，１０Ｂ，１０Ｃを収納し、主基板ケース１Ａ，１Ｂ，１Ｃの蓋体２Ａ，２Ｂ，２Ｃと底体３Ａ，３Ｂ，３Ｃの他端の耳部６Ａ，１４Ａ相互をビス固定して主基板ケース１Ａ，１Ｂ，１Ｃを構成し、主基板ベース２０Ａ，２０Ｂ，２０Ｃの一端に複数個のかしめ筒部２１Ａ，２１Ｂ，２１Ｃをそれぞれ独立して横列して、該かしめ筒部２１Ａ，２１Ｂ，２１Ｃにかしめ孔２２Ａ，２２Ｂ，２２Ｃをそれぞれ設け、該主基板ベース２０Ａ，２０Ｂ，２０Ｃ上に該主基板ケース１Ａ，１Ｂ，１Ｃを載置し、該主基板ケース１Ａ，１Ｂ，１Ｃの蓋体２Ａ，２Ｂ，２Ｃの一端のかしめ金具貫通筒４Ａ，４Ｂ，４Ｃのかしめ金具貫通孔５Ａ，５Ｂ，５Ｃからかしめ金具２５Ａ，２５Ｂ，２５Ｃを該主基板ベース２０Ａ，２０Ｂ，２０Ｃの一端のかしめ筒部２１Ａ，２１Ｂ，２１Ｃのかしめ孔２２Ａ，２２Ｂ，２２Ｃに到達させて、主基板ケース１Ａ，１Ｂ，１Ｃと主基板ベース２０Ａ，２０Ｂ，２０Ｃとをかしめた主基板ケース１Ａ，１Ｂ，１Ｃの取付け構造を提供するものである。
該主基板ケース１Ａ，１Ｂ，１Ｃの蓋体２Ａ，２Ｂ，２Ｃのかしめ金具貫通孔５Ａ，５Ｂ，５Ｃの内周面には係止段部３２Ａ，３２Ｂ，３２Ｃが設けられており、該かしめ金具２５Ａ，２５Ｂ，２５Ｃの上には、該係止段部３２Ａ，３２Ｂ，３２Ｃに係合する係止部３１Ａ，３１Ｂ，３１Ｃを外周面に有する係止キャップ２８Ａ，２８Ｂ，２８Ｃがそれぞれ取り付けられていることが望ましい。
【発明の効果】
【０００７】
本発明の遊技機用の主基板ケース１Ａ，１Ｂ，１Ｃの取付け構造では、主基板ケース１Ａ，１Ｂ，１Ｃの蓋体２Ａ，２Ｂ，２Ｃと底体３Ａ，３Ｂ，３Ｃとをビス固定するだけでなく、主基板ケース１Ａ，１Ｂ，１Ｃと主基板ベース２０Ａ，２０Ｂ，２０Ｃとをかしめたることができるため、該主基板ケース１Ａ，１Ｂ，１Ｃの蓋体２Ａ，２Ｂ，２Ｃが不正に開けられることを防止することができるとともに、該主基板ケース１Ａ，１Ｂ，１Ｃが主基板ベース２０Ａ，２０Ｂ，２０Ｃから不正に取り外されることを防止することができる。
更に、本発明の遊技機用の主基板ケース１Ａ，１Ｂ，１Ｃの取付け構造では、主基板ケース１Ａ，１Ｂ，１Ｃの蓋体２Ａ，２Ｂ，２Ｃに複数個のかしめ金具貫通筒４Ａ，４Ｂ，４Ｃがそれぞれ独立して横列されており、主基板ベース２０Ａ，２０Ｂ，２０Ｃに複数個のかしめ筒部２１Ａ，２１Ｂ，２１Ｃがそれぞれ独立して横設されているため、不正行為の有無をチェックするために主基板ケース１Ａ，１Ｂ，１Ｃを主基板ベース２０Ａ，２０Ｂ，２０Ｃから取り外す際に、最初にかしめられているかしめ金具貫通筒４Ａ，４Ｂ，４Ｃ（例えば両端のかしめ金具貫通筒４Ａ，４Ｂ，４Ｃを主基板ケース１Ａ，１Ｂ，１Ｃから切除するとともに、該主基板ベース２０Ａ，２０Ｂ，２０Ｃのかしめ筒部２１Ａ，２１Ｂ，２１Ｃ（例えば両端部のかしめ筒部２１Ａ，２１Ｂ，２１Ｃを主基板ベース２０Ａ，２０Ｂ，２０Ｃから切除することができ、したがって、チェックの完了後の主基板ベース２０Ａ，２０Ｂ，２０Ｃに新しい主基板ケース１Ａ，１Ｂ，１Ｃを取り付ける場合に、該新しい主基板ケース１Ａ，１Ｂ，１Ｃのかしめ金具貫通筒４Ａ，４Ｂ，４Ｃ（例えば両端のかしめ金具貫通筒４Ａ，４Ｂ，４Ｃを予め切除する必要がなく、主基板ケース１Ａ，１Ｂ，１Ｃの取替え作業が非常に容易になる。
【発明を実施するための最良の形態】
【０００８】
以下、本発明を実施例１〜実施例３により詳細に説明する。
【実施例１】
【０００９】
本発明を図１〜図４に示す一実施例によって説明する。
図１に示すように、例えばパチンコやパチスロ等の遊技機（図示せず）に使用される主基板ケース１Ａは蓋体２Ａと底体３Ａとからなり、該蓋体２Ａの一端には五個の円筒状のかしめ金具貫通筒４Ａがそれぞれ独立して横列して設けられており、該かしめ金具貫通筒４Ａの中央には断面円形のかしめ金具貫通孔５Ａがそれぞれ設けられている。一方、該蓋体２Ａの他端には上側耳部６Ａが突設され、該上側耳部６Ａには一対のビス挿通孔７Ａが設けられており、また、該蓋体２Ａの両側および他端にはフランジ部８Ａがそれぞれ突設されている。更に、本実施例では、主基板ケース１Ａの蓋体２Ａのかしめ金具貫通筒４Ａは、取付け片９Ａを介して該主基板ケース１Ａの蓋体２Ａの一端にそれぞれ取り付けられている。
【００１０】
また、遊技機の主基板１０Ａには、所定のパターンのプリント配線（図示せず）が形成されているとともに、ＣＰＵやＲＯＭ等のチップ（図示せず）が実装されており、該主基板１０Ａの四隅には、四個のねじ挿通孔１１Ａがそれぞれ設けられている。そして、該主基板ケース１Ａの蓋体２Ａの下面の周縁部には、該主基板１０Ａの形状に対応した形状の取付け段部１２Ａが設けられており（図２参照）、該取付け段部１２Ａの四隅には、該主基板１０Ａのねじ挿通孔１１Ａに対応する四個のねじ孔１３Ａがそれぞれ設けられている。
【００１１】
一方、該主基板ケース１Ａの底体３Ａの他端には、該蓋体２Ａの上側耳部６Ａに対応する下側耳部１４Ａが突設され、該下側耳部１４Ａには、該上側耳部６Ａのビス挿通孔７Ａに対応する一対のビス孔１５Ａが設けられており、また、該底体３Ａ上面の両側および他端には、該蓋体２Ａのフランジ部８Ａがスライド嵌合する断面コの字状の係止溝部１６Ａが設けられている。
【００１２】
図２に示すように、主基板ケース１Ａの内部に主基板１０Ａを収納する場合には、まず、該主基板ケース１Ａの蓋部の下面の取付け段部１２Ａに主基板１０Ａを下側から嵌合させて、該主基板１０Ａの四隅をねじ１７Ａによってねじ止めする。次に、該主基板ケース１Ａの蓋体２Ａのフランジ部８Ａを該底体３Ａの係止溝部１６Ａに一端側からスライド嵌合させて、該主基板ケース１Ａの蓋体２Ａと底体３Ａとを重ね合わせる。そして、該蓋体２Ａの上側耳部６Ａと該底体３Ａの下側耳部１４Ａとに封印シール１８Ａを貼り付けた後に、該封印シール１８Ａの上側から該蓋体２Ａの上側耳部６Ａと該底体３Ａの下側耳部１４Ａの相互をビス１９Ａによってビス固定する（図３参照）。
【００１３】
図３に示すように、主基板ベース２０Ａの一端には五個の円筒状のかしめ筒部２１Ａがそれぞれ独立して横列して設けられており、該かしめ筒部２１Ａの中央にはかしめ孔２２Ａがそれぞれ設けられている。また、該かしめ筒部２１Ａの他端は取付け片２３Ａを介して該主基板ベース２０Ａの一端にそれぞれ取り付けられており、更に、該かしめ筒部２１Ａの一端には円弧状のリブ２４Ａが突設されている。
また本実施例では、該主基板ベース２０Ａ上面の両側および他端には、該主基板ケース１Ａをスライド嵌合させて係止するためのＬ字状係止部３８Ａが設けられている。
【００１４】
該主基板ベース２０Ａのかしめ孔２２Ａには、五個のかしめ金具２５Ａがそれぞれ嵌着され、該かしめ金具２５Ａは頭部２６Ａと軸部２７Ａとからなる。
また、主基板ケース１Ａのかしめ金具貫通筒４Ａには、該かしめ金具貫通筒４Ａに対応する五個の樹脂製の係止キャップ２８Ａが嵌着される。該係止キャップ２８Ａは、略半球状の頭部２９Ａと、該頭部２９Ａの両側から垂下される一対の係止片３０Ａとからなり、該係止片３０Ａの下端部の外周面には係止部３１Ａが外側に向けて突出して設けられている。一方、該主基板ケース１Ａの蓋体２Ａのかしめ金具貫通筒４Ａの内周面には、係止段部３２Ａが設けられている。
【００１５】
図４に示すように、主基板ケース１Ａを主基板ベース２０Ａに取り付ける場合には、まず、主基板ケース１Ａの両端部を主基板ベース２０ＡのＬ字状係止部３８Ａにスライド嵌合させて、主基板ベース２０Ａ上に主基板ケース１Ａを載置した状態とする。そして、該主基板ケース１Ａのかしめ金具貫通筒４Ａのかしめ金具貫通孔５Ａにかしめ金具２５Ａを上側からそれぞれ挿通し、該かしめ金具２５Ａを主基板ベース２０Ａのかしめ孔２２Ａに到達させて、該主基板ケース１Ａと該主基板ベース２０Ａとを該かしめ金具２５Ａでかしめて固定する。
【００１６】
次に、該主基板ケース１Ａのかしめ金具貫通筒４Ａに係止キャップ２８Ａを嵌着して、該係止キャップ２８Ａの係止片３０Ａの下端部を該かしめ金具２５Ａの頭部２６Ａに当接させるとともに、該係止キャップ２８Ａの係止片３０Ａの係止部３１Ａを該かしめ金具貫通筒４Ａの係止段部３２Ａに係止させる。
【００１７】
このようにして主基板ケース１Ａは主基板ベース２０Ａに取り付けられ、そして、該主基板ケース１Ａを取り付けた主基板ベース２０Ａは取付け部（図示せず）を介して遊技機の筐体（図示せず）の内部に取り付けられる。
【００１８】
上記のように、主基板ケース１Ａの蓋体２Ａと底体３Ａとをビス固定するだけでなく、主基板ケース１Ａと主基板ベース２０Ａとをかしめたることができるため、該主基板ケース１Ａの蓋体２Ａが不正に開けられることを防止することができるとともに、該主基板ケース１Ａが主基板ベース２０Ａから不正に取り外されることを防止することができる。
【００１９】
また、主基板ケース１Ａの蓋体２Ａに五個のかしめ金具貫通筒４Ａがそれぞれ独立して横列されており、主基板ベース２０Ａに五個のかしめ筒部２１Ａがそれぞれ独立して横設されているため、不正行為の有無をチェックするために主基板ケース１Ａを主基板ベース２０Ａから取り外す際に、最初にかしめられているかしめ金具貫通筒４Ａ（例えば両端のかしめ金具貫通筒４Ａ）の取付け片９Ａを切断して該かしめ金具貫通筒４Ａを主基板ケース１Ａから切除するとともに、該主基板ベース２０Ａのかしめ筒部２１Ａ（例えば両端部のかしめ筒部２１Ａの取付け片２３Ａを切断して該かしめ筒部２１Ａを主基板ベース２０Ａから切除することができる。
したがって、チェックの完了後の主基板ベース２０Ａに新しい主基板ケース１Ａを取り付ける場合に、該新しい主基板ケース１Ａのかしめ金具貫通筒４Ａ（例えば両端のかしめ金具貫通筒４Ａ）を予め切除する必要がなく、主基板ケース１Ａの取替え作業が非常に容易になる。
【００２０】
更に、主基板ケース１Ａのかしめ金具貫通筒４Ａのかしめ金具貫通孔５Ａに係止キャップ２８Ａが嵌着されているので、該係止キャップ２８Ａによってかしめ金具２５Ａが抜けるのを防止することができる。更に、該係止キャップ２８Ａの係止部３１Ａが該主基板ケース１Ａのかしめ金具貫通筒４Ａの係止段部３２Ａと係合しているので、該係止キャップ２８Ａが抜けるのを確実に防止することができる。
【００２１】
また更に、主基板ケース１Ａの蓋体２Ａの上側耳部６Ａと底体３Ａの下側耳部１４Ａには封印シール１８Ａが貼着されているので、該主基板ケース１Ａの蓋体２Ａを不正に開けようとしたときに、封印シール１８Ａに痕跡が残る。
また、本実施例では、主基板ケース１Ａおよび主基板ベース２０Ａは、透明な樹脂製とされており、不正行為があったときの痕跡の有無を外部から視認できるようにされている。
【実施例２】
【００２２】
図５〜図７には他の実施例が示される。
図１〜図４に示した実施例１に対して、本実施例では、図５に示すように、主基板ケース１Ｂは蓋体２Ｂと底体３Ｂとからなり、該蓋体２Ｂの一端には五個の角筒状のかしめ金具貫通筒４Ｂがそれぞれ独立して横列して設けられており、該かしめ金具貫通筒４Ｂの中央には断面角形のかしめ金具貫通孔５Ｂがそれぞれ設けられている。
また、該蓋体２Ｂの両側および他端にはフランジ部８Ｂがそれぞれ突設されており、該底体３Ｂの側面および他端には、該蓋体２Ｂのフランジ部８Ｂがスライド嵌合する断面コの字状の係止溝部１６Ｂが設けられている。
更に、本実施例では、主基板ケース１Ｂの蓋体２Ｂのかしめ金具貫通筒４Ｂは、取付け片９Ｂを介して該主基板ケース１Ｂの蓋体２Ｂの一端にそれぞれ取り付けられており、該かしめ金具貫通筒４Ｂは、隣接するかしめ金具貫通筒４Ｂと連結片３３Ｂを介して相互に連結されている。
【００２３】
図５に示すように、主基板ベース２０Ｂの一端には五個の角筒状のかしめ筒部２１Ｂがそれぞれ独立して横列して設けられており、該かしめ筒部２１Ｂの中央にはかしめ孔２２Ｂがそれぞれ設けられている。また、該かしめ筒部２１Ｂの他端は、取付け片２３Ｂを介して該主基板ベース２０Ｂの一端にそれぞれ取り付けられており、更に、該かしめ筒部２１Ｂの一端および両側端にはコの字状のリブ２４Ｂが突設されている。
本実施例では、該かしめ孔２２Ｂの内周面にはねじ溝３４Ｂが設けられている。また、該主基板ベース２０Ｂ上面の両側および他端には、該主基板ケース１Ｂをスライド嵌合させて係止するためのＬ字状係止部３８Ｂが設けられている。
また本実施例では、該かしめ筒部２１Ｂのコの字状のリブ２４Ｂの外側には、該かしめ筒部２１Ｂへの不正行為を防止するためのコの字状の外壁部３９Ｂが設けられている。
【００２４】
一方、該主基板ベース２０Ｂのかしめ孔２２Ｂには、五個のかしめ金具２５Ｂがそれぞれ嵌着される。該かしめ金具２５Ｂは、頭部２６Ｂと軸部２７Ｂとからなり、該頭部２６Ｂの下面には係合段部３５Ｂが設けられており、該軸部２７Ｂの外周面にはねじ部３６Ｂが設けられている。
【００２５】
また、主基板ケース１Ｂのかしめ金具貫通筒４Ｂには、該かしめ金具貫通筒４Ｂに対応する五個の係止キャップ２８Ｂが嵌着される。該係止キャップ２８Ｂはコの字状の樹脂製の頭部２９Ｂとコの字状の金属製の係止片３０Ｂとからなり、該係止キャップ２８Ｂは、該コの字状の頭部２９Ｂと該コの字状の係止片３０Ｂ) とが組み合わされて、箱形の形状とされている（図６および図７参照）。
そして、該係止片３０Ｂの外側面の中央部には外向き係止部３１Ｂが突設されており、該係止片３０Ｂの内側面の下端部には内向き係合爪３７Ｂが突設されている。一方、該主基板ケース１Ｂの蓋体２Ｂのかしめ金具貫通筒４Ｂの内周面には、係止段部３２Ｂが設けられている。
また本実施例では、該係止キャップ２８Ｂのコの字状の頭部２９Ｂは、該かしめ金具２５Ｂへの不正行為を防止するために、不透明な樹脂製とされている。
【００２６】
図６および図７に示すように、主基板ケース１Ｂを主基板ベース２０Ｂに取り付ける場合には、まず、実施例１と同様に、主基板ケース１Ｂの内部に主基板（図示せず）を収納し、該主基板ケース１Ｂの蓋体２Ｂのフランジ部８Ｂを該底体３Ｂの係止溝部１６Ｂに一端側からスライド嵌合させて、該主基板ケース１Ｂの蓋体２Ｂと底体３Ｂとを重ね合わせ、該蓋体２Ｂと該底体３Ｂの耳部（図示せず）相互をビス（図示せず）によってビス固定する
【００２７】
次に、主基板ケース１Ｂの両端部を主基板ベース２０ＢのＬ字状係止部３８Ｂにスライド嵌合させて、主基板ベース２０Ｂ上に主基板ケース１Ｂを載置した状態とした後、該主基板ケース１Ｂのかしめ金具貫通筒４Ｂのかしめ金具貫通孔５Ｂにかしめ金具２５Ｂを上側からそれぞれ挿通し、該かしめ金具２５Ｂを主基板ベース２０Ｂのかしめ孔２２Ｂに螺着して、該主基板ケース１Ｂと該主基板ベース２０Ｂとを該かしめ金具２５Ｂでかしめて固定する。
【００２８】
そして、該主基板ケース１Ｂのかしめ金具貫通筒４Ｂに係止キャップ２８Ｂを嵌着して、該係止キャップ２８Ｂの係止片３０Ｂの下端部の内向き係合爪３７Ｂを該かしめ金具２５Ｂの頭部２６Ｂの係合段部３５Ｂに係合させるとともに、該係止キャップ２８Ｂの係止片３０Ｂの外向き係止部３１Ｂを該かしめ金具貫通筒４Ｂの係止段部３２Ｂに係止させる。
【００２９】
このようにして主基板ケース１Ｂは主基板ベース２０Ｂに取り付けられ、そして、実施例１と同様、該主基板ケース１Ｂを取り付けた主基板ベース２０Ｂは取付け部（図示せず）を介して遊技機の筐体（図示せず）の内部に取り付けられる。
【００３０】
本実施例では、実施例１と同様の作用効果を奏することができるとともに、係止キャップ２８Ｂの係止片３０Ｂが金属製であるため、該係止片３０Ｂの係合部が主基板ケース１Ｂのかしめ金具貫通筒４Ｂの係止段部３２Ｂに強固に係合し、該係止キャップ２８Ｂが抜けるのをより確実に防止することができる。
【実施例３】
【００３１】
図８〜図１０には更に他の実施例が示される。
図１〜図４に示した実施例１に対して、本実施例では、図８に示すように、主基板ケース１Ｃは蓋体２Ｃと底体３Ｃとからなり、該蓋体２Ｃの一端には五個の角筒状のかしめ金具貫通筒４Ｃがそれぞれ独立して横列して設けられており、該かしめ金具貫通筒４Ｃの中央には断面角形のかしめ金具貫通孔５Ｃがそれぞれ設けられている。
また、該蓋体２Ｃの両側および他端にはフランジ部８Ｃがそれぞれ突設されており、該底体３Ｃの側面および他端には、該蓋体２Ｃのフランジ部８Ｃがスライド嵌合する断面コの字状の係止溝部１６Ｃが設けられている。
更に、本実施例では、主基板ケース１Ｃの蓋体２Ｃのかしめ金具貫通筒４Ｃは、取付け片９Ｃを介して該主基板ケース１Ｃの蓋体２Ｃの一端にそれぞれ取り付けられており、該かしめ金具貫通筒４Ｃは、隣接するかしめ金具貫通筒４Ｃと連結片３３Ｃを介して相互に連結されており、また、両端のかしめ金具貫通筒４Ｃは、Ｌ字片４０Ｃを介して該主基板ケース１Ｃの蓋体２Ｃに取り付けられている。
【００３２】
図８に示すように、主基板ベース２０Ｃの一端には五個の角筒状のかしめ筒部２１Ｃがそれぞれ独立して横列して設けられており、該かしめ筒部２１Ｃの中央にはかしめ孔２２Ｃがそれぞれ設けられている。また、該かしめ筒部２１Ｃの他端は、取付け片２３Ｃを介して該主基板ベース２０Ｃの一端にそれぞれ取り付けられており、更に、該かしめ筒部２１Ｃの一端および両側端にはコの字状のリブ２４Ｃが突設されている。
本実施例では、該かしめ孔２２Ｃの内周面にはねじ溝３４Ｃが設けられている。また、該主基板ベース２０Ｃ上面の両側には、該主基板ケース１Ｃをスライド嵌合させて係止するためのＬ字状係止部３８Ｃが設けられている。
また本実施例では、該五個のかしめ筒部２１Ｃは、該かしめ筒部２１Ｃへの不正行為を防止するために、コの字片４１Ｃによって相互に連結されている。
【００３３】
一方、該主基板ベース２０Ｃのかしめ孔２２Ｃには、五個のかしめ金具２５Ｃがそれぞれ嵌着される。該かしめ金具２５Ｃは、頭部２６Ｃと軸部２７Ｃとからなり、該軸部２７Ｃの外周面にはねじ部３６Ｃが設けられている。
【００３４】
また、主基板ケース１Ｃのかしめ金具貫通筒４Ｃには、該かしめ金具貫通筒４Ｃに対応する五個の係止キャップ２８Ｃが嵌着される。該係止キャップ２８Ｃは、四角形状の金属製の頭部２９Ｃと、該頭部２９Ｃの四辺からそれぞれ垂下される金属製の係止片３０Ｃとからなり、該係止片３０Ｃの外側面の中央部には外向き係止部３１Ｃが突設されている。
一方、該主基板ケース１Ｃの蓋体２Ｃのかしめ金具貫通筒４Ｃの内周面には、係止段部３２Ｃが設けられている。
また本実施例では、該係止キャップ２８Ｃの頭部２９Ｃの中央部には凹部４２Ｃが設けられており、該かしめ金具２５Ｃに不正行為があった場合には、該かしめ金具によって該凹部４２Ｃが下側から押し上げられ、該不正行為の痕跡の有無を外部から視認することができる。
【００３５】
図９および図１０に示すように、主基板ケース１Ｃを主基板ベース２０Ｃに取り付ける場合には、まず、実施例１と同様に、主基板ケース１Ｃの内部に主基板（図示せず）を収納し、該主基板ケース１Ｃの蓋体２Ｃのフランジ部８Ｃを該底体３Ｃの係止溝部１６Ｃに一端側からスライド嵌合させて、該主基板ケース１Ｃの蓋体２Ｃと底体３Ｃとを重ね合わせ、該蓋体２Ｃと該底体３Ｃの耳部（図示せず）相互をビス（図示せず）によってビス固定する
【００３６】
次に、主基板ケース１Ｃの両端部を主基板ベース２０ＣのＬ字状係止部３８Ｃにスライド嵌合させて、主基板ベース２０Ｃ上に主基板ケース１Ｃを載置した状態とした後、該主基板ケース１Ｃのかしめ金具貫通筒４Ｃのかしめ金具貫通孔５Ｃにかしめ金具２５Ｃを上側からそれぞれ挿通し、該かしめ金具２５Ｃを主基板ベース２０Ｃのかしめ孔２２Ｃに螺着して、該主基板ケース１Ｃと該主基板ベース２０Ｃとを該かしめ金具２５Ｃでかしめて固定する。
【００３７】
そして、該主基板ケース１Ｃのかしめ金具貫通筒４Ｃに係止キャップ２８Ｃを嵌着して、該係止キャップ２８Ｃの係止片３０Ｃの外向き係止部３１Ｃを該かしめ金具貫通筒４Ｃの係止段部３２Ｃに係止させる。
【００３８】
このようにして主基板ケース１Ｃは主基板ベース２０Ｃに取り付けられ、そして、実施例１と同様、該主基板ケース１Ｃを取り付けた主基板ベース２０Ｃは取付け部（図示せず）を介して遊技機の筐体（図示せず）の内部に取り付けられる。
【００３９】
本実施例では、実施例１と同様の作用効果を奏することができるとともに、係止キャップ２８Ｃの係止片３０Ｃが金属製であるため、該係止片３０Ｃの係合部が主基板ケース１Ｃのかしめ金具貫通筒４Ｃの係止段部３２Ｃに強固に係合し、該係止キャップ２８Ｃが抜けるのをより確実に防止することができる。
【００４０】
以上、本発明の実施の形態を実施例により説明したが、本発明の範囲はこれらに限定されるものではなく、請求項に記載された範囲内において目的に応じて変更・変形することが可能である。
【産業上の利用可能性】
【００４１】
本発明は、主基板ケースの蓋体が不正に開けられることを防止することができるとともに、主基板ケースが主基板ベースから不正に取り外されることを防止することができ、更に、主基板ケースの取替え作業が非常に容易な遊技機用の主基板ケースの取付け構造として、産業上利用することが出来る。
【図面の簡単な説明】
【００４２】
【図１】実施例１の主基板ケースの分解斜視図である。
【図２】実施例１の主基板ケースの側断面図である。
【図３】実施例１の主基板ケースと主基板ベースの分解斜視図である。
【図４】実施例１の主基板ケースと主基板ベースの側断面図である。
【図５】実施例２の主基板ケースと主基板ベースの分解斜視図である。
【図６】実施例２の主基板ケースと主基板ベースの正断面図である。
【図７】実施例２の主基板ケースと主基板ベースの側断面図である。
【図８】実施例３の主基板ケースと主基板ベースの分解斜視図である。
【図９】実施例３の主基板ケースと主基板ベースの正断面図である。
【図１０】実施例３の主基板ケースと主基板ベースの側断面図である。
【図１１】従来例に関連する技術の主基板ケースと主基板ベースの分解斜視図である。
【符号の説明】
【００４３】
１Ａ，１Ｂ，１Ｃ  主基板ケース
２Ａ，２Ｂ，２Ｃ  蓋体
３Ａ，３Ｂ，３Ｃ  底体
４Ａ，４Ｂ，４Ｃ  かしめ金具貫通筒
５Ａ，５Ｂ，５Ｃ  かしめ金具貫通孔
６Ａ，６Ｂ，６Ｃ  上側耳部
１０Ａ，１０Ｂ，１０Ｃ  主基板
１４Ａ，１４Ｂ，１４Ｃ  下側耳部
２０Ａ，２０Ｂ，２０Ｃ  主基板ベース
２１Ａ，２１Ｂ，２１Ｃ  かしめ筒部
２２Ａ，２２Ｂ，２２Ｃ  かしめ孔
２５Ａ，２５Ｂ，２５Ｃ  かしめ金具
２８Ａ，２８Ｂ，２８Ｃ  係止キャップ
３１Ａ，３１Ｂ，３１Ｃ  係止部
３２Ａ，３２Ｂ，３２Ｃ  係止段部
【図１】
2005342193.tif 000003
【図２】
2005342193.tif 000004
【図３】
2005342193.tif 000005
【図４】
2005342193.tif 000006
【図５】
2005342193.tif 000007
【図６】
2005342193.tif 000008
【図７】
2005342193.tif 000009
【図８】
2005342193.tif 000010
【図９】
2005342193.tif 000011
【図１０】
2005342193.tif 000012
【図１１】
2005342193.tif 000013